(57)【特許請求の範囲】
【請求項１】
全体として環状に形成される磁気コア、当該磁気コアに外嵌されたボビン、当該ボビンを介在させた状態で前記磁気コアに形成された巻線、および当該巻線から引き出された始端部と終端部とにそれぞれ連結されたリード線を備えたコアセンサであって、
前記ボビンは、前記磁気コアの周方向に沿って、前記巻線が形成される巻線形成領域と、前記始端部および前記終端部を固定する固定領域とを備え、
前記ボビンの前記固定領域には、当該固定領域における表面に立設されると共に、前記始端部が連結された一方の前記リード線の先端部および前記終端部が連結された他方の前記リード線の先端部を互いに離間させる離間壁と、前記一方のリード線の前記先端部および前記他方のリード線の前記先端部を個別に保持する一対の保持部とが形成され、
前記保持部、および前記ボビンの前記固定領域における前記表面のいずれか一方に、前記保持部から引き出された前記リード線を引っ掛けて折曲させるための引っ掛け部が形成されているコアセンサ。
【請求項２】
前記一対の保持部のうちの一方の保持部は、前記一方のリード線の前記先端部に向く前記離間壁の一の壁面から延出して当該先端部を前記固定領域における前記表面との間で保持する一の凸状体を備えると共に、前記一対の保持部のうちの他方の保持部は、前記他方のリード線の前記先端部に向く前記離間壁の他の壁面から延出して当該先端部を前記固定領域における前記表面との間で保持する他の凸状体を備えている請求項１記載のコアセンサ。
【請求項３】
前記保持部から引き出された前記リード線は、前記引っ掛け部に引っ掛けられて、クランク状またはＬ字状に折曲された状態で引き出されている請求項１または２記載のコアセンサ。
【請求項４】
請求項１から３のいずれかに記載のコアセンサを備えて、前記環状の磁気コア内に挿通された測定対象に流れる測定電流の電流値に応じた振幅の電気信号を前記一方のリード線および前記他方のリード線間から出力する測定装置。
【発明の詳細な説明】
【技術分野】
【０００１】
本発明は、全体として環状をなす磁気コアにボビンを介在させて形成された巻線を有するコアセンサ、およびこのコアセンサを備えている測定装置に関するものである。
【背景技術】
【０００２】
この種のコアセンサとして、本願出願人は、下記の特許文献１に開示されている電流計（クランプ式電流計）に使用されるコアセンサを既に提案している。このコアセンサは、一対で使用されるものであり、略円弧状を呈して対となって対向配置される各磁気コアにボビンを介在させて各別に巻線を形成して構成されている。また、各コアセンサには、各別にコアカバーが覆設される。この場合、コアカバーのそれぞれは、コアセンサを収納して相互を対面合致させるべく二つ割りされた一対のカバー部で形成されている。また、一方のカバー部にあって他方のカバー部と対向する内側面には、巻線から引き出された始端部と終端部とに各別にリード線を連結して形成される各連結部を個別に差し込んで収納する計２個の保持筒部が突設されている。
【０００３】
この電流計では、コアセンサの各連結部は、対応するコアカバー（具体的には、コアカバーを構成するカバー部）の保持筒部内に各別に収納保持されて、周辺部位から隔離されるため、相互が短絡するような不測の事態の発生を未然に防止することが可能になっていると共に、各リード線側に引張力などのような負荷が仮にかかったとしても、保持筒部内から強制的に抜脱させられるということを確実に防止することが可能になっている。また、各連結部自体の位置を固定する作業も、保持筒部内に連結部を単に差し込めばよいので、簡素化できて、作業効率を高めることが可能になっている。
【先行技術文献】
【特許文献】
【０００４】
【特許文献１】特開２００１−２２８１７５号公報（第２−３頁、第１−２図）
【発明の概要】
【発明が解決しようとする課題】
【０００５】
ところが、従来のコアセンサには、以下の改善すべき課題が存在している。すなわち、この種のコアセンサでは、巻線が形成された磁気コアをカバー部に装着する際に、一般的に、まず、磁気コアに装着されたボビンに巻線機などを使用して巻線を形成する工程を実行し、次いで、巻線の始端部と終端部とにリード線をそれぞれ連結（例えばハンダ付け）する工程を実行し、続いて、巻線にリード線が連結された磁気コアをカバー部に装着する工程とを実行する。
【０００６】
しかしながら、従来のコアセンサでは、上記した３つの工程の内の最後の工程、すなわち、巻線に各リード線が連結された磁気コアをカバー部に装着する工程において、巻線の始端部と一方のリード線との１つの連結部、および巻線の終端部と他方のリード線とのもう１つの連結部を、一方のカバー部の内側面に突設された２個の保持筒部に差し込んで収納する作業を実行することになる。このため、従来のコアセンサでは、巻線の始端部と終端部とにリード線をそれぞれ連結する工程の実行後、巻線に各リード線が連結された磁気コアをカバー部に装着する工程の実行前までの間において、例えば、巻線にリード線が連結された磁気コアを搬送する際に、各リード線側に引張力などのような負荷がかかったときに、巻線がほどけるといった不具合が発生するおそれがあるという改善すべき課題が存在している。
【０００７】
本発明は、かかる課題を改善すべくなされたものであり、組み立ての際に、磁気コアにボビンを介在させて形成された巻線がほどけるといった不具合の発生を低減し得るコアセンサ、およびこのコアセンサを備えた測定装置を提供することを主目的とする。
【課題を解決するための手段】
【０００８】
上記目的を達成すべく請求項１記載のコアセンサは、全体として環状に形成される磁気コア、当該磁気コアに外嵌されたボビン、当該ボビンを介在させた状態で前記磁気コアに形成された巻線、および当該巻線から引き出された始端部と終端部とにそれぞれ連結されたリード線を備えたコアセンサであって、前記ボビンは、前記磁気コアの周方向に沿って、前記巻線が形成される巻線形成領域と、前記始端部および前記終端部を固定する固定領域とを備え、前記ボビンの前記固定領域には、当該固定領域における表面に立設されると共に、前記始端部が連結された一方の前記リード線の先端部および前記終端部が連結された他方の前記リード線の先端部を互いに離間させる離間壁と、前記一方のリード線の前記先端部および前記他方のリード線の前記先端部を個別に保持する一対の保持部とが形成され、前記保持部、および前記ボビンの前記固定領域における前記表面のいずれか一方に、前記保持部から引き出された前記リード線を引っ掛けて折曲させるための引っ掛け部が形成されている。
【０００９】
また、請求項２記載のコアセンサは、請求項１記載のコアセンサにおいて、前記一対の保持部のうちの一方の保持部は、前記一方のリード線の前記先端部に向く前記離間壁の一の壁面から延出して当該先端部を前記固定領域における前記表面との間で保持する一の凸状体を備えると共に、前記一対の保持部のうちの他方の保持部は、前記他方のリード線の前記先端部に向く前記離間壁の他の壁面から延出して当該先端部を前記固定領域における前記表面との間で保持する他の凸状体を備えている。
【００１０】
また、請求項３記載のコアセンサは、請求項１または２記載のコアセンサにおいて、前記保持部から引き出された前記リード線は、前記引っ掛け部に引っ掛けられて、クランク状またはＬ字状に折曲された状態で引き出されている。
【００１１】
また、請求項４記載の測定装置は、請求項１から３のいずれかに記載のコアセンサを備えて、前記環状の磁気コア内に挿通された測定対象に流れる測定電流の電流値に応じた振幅の電気信号を前記一方のリード線および前記他方のリード線間から出力する。
【発明の効果】
【００１２】
請求項１記載のコアセンサおよび請求項４記載の測定装置によれば、磁気コアに外嵌されたボビンの巻線形成領域に形成された巻線から引き出された始端部および終端部に連結される各リード線の先端部を互いに離間させる離間壁と、各先端部を個別に保持するための一対の保持部がボビンの固定領域に形成されているため、巻線形成領域に巻線を形成し、かつ巻線の始端部および終端部にリード線を連結した状態において、テープで止めたり、コアカバー（カバー部）の穴に差し込んで止めたりするのに比べて、各リード線の先端部同士の絶縁を簡単かつ確実に行うことができる。また、固定領域に形成された一対の保持部を使用して各リード線の先端部を保持することにより、このような保持部の無い構成と比べて、コアセンサの製造後であって、コアセンサをコアカバーに装着する工程の実行前までの間に、各リード線に引張力などのような負荷がかかったとしても、巻線がほどけるといった不具合の発生を大幅に低減することができる。
また、このコアセンサおよびこの測定装置によれば、保持部、およびボビンの固定領域における表面のいずれか一方に引っ掛け部が形成されているため、先端部が保持部で保持されたリード線を引っ掛け部に引っ掛けて折曲させた状態（リード線と引っ掛け部の各表面間に摩擦力が作用している状態）で保持部から引き出す（例えば、請求項３記載のコアセンサのように、クランク状またはＬ字状に折曲された状態で引き出す）ことにより、コアカバー（カバー部）の穴に差し込むだけの構成と比べて、リード線により大きな引張力などのような負荷がかかったとしても、巻線がほどけたり、断線したりといった不具合の発生を確実に防止することができる。また、各リード線の先端部をテープで止めたり、コアカバー（カバー部）の穴に差し込んで止めたりするのに比べて、各リード線の先端部を保持する際の手間（工数）を格段に少なくすることができる。
【００１３】
また、請求項２記載のコアセンサおよび請求項４記載の測定装置では、各保持部は、各リード線の先端部を互いに離間させる離間壁におけるこの各先端部に向く各壁面から延出して、この先端部を固定領域における表面との間で保持する凸状体を備えている。したがって、このコアセンサおよび測定装置によれば、芯線に始端部が連結された一方のリード線の先端部を対応する固定領域の表面と凸状体との間の隙間に押し込むという簡易な作業でこの一方のリード線の先端部を一方の保持部に確実に保持させることができる。また、芯線に終端部が連結された他方のリード線の先端部を対応する固定領域の表面と凸状体との間の隙間に押し込むという簡易な作業で他方のリード線の先端部を他方の保持部に保持させることができる。このため、テープで止めたり、コアカバー（カバー部）の穴に差し込んで止めたりするのに比べて、各リード線の先端部を保持する際の手間（工数）を格段に少なくすることができる。
【図面の簡単な説明】
【００１５】
【図１】電流計１のコアカバー４，５内の内部構成を説明するための説明図である。
【図２】図１のコアセンサ２，３の構成を説明するための分解斜視図である。
【図３】巻線１３およびリード線１４，１５を設ける前のコアセンサ２，３の斜視図である。
【図４】コアセンサ２，３のボビン１２における固定領域ＡＲ２を図３中の矢印Ａ方向から見た要部拡大図である。
【図５】コアセンサ２，３のボビン１２における固定領域ＡＲ２を図３中の矢印Ｂ方向から見た要部拡大図である。
【図６】コアセンサ２，３のボビン１２における固定領域ＡＲ２を図３中の矢印Ｃ方向から見た要部拡大図である。
【図７】巻線１３およびリード線１４，１５を設けた状態のコアセンサ２，３の斜視図である。
【図８】他の保持部３３Ａ，３４Ａの構造を説明するための要部拡大図である。
【発明を実施するための形態】
【００１６】
以下、コアセンサおよび測定装置の実施の形態について、添付図面を参照して説明する。なお、測定装置の一例として、電流計を例に挙げて説明する。
【００１７】
まず、電流計１の構成について、図１を参照して説明する。
【００１８】
電流計１は、一例として、図１に示すように、一対のコアセンサ２，３、および各コアセンサ２，３を個別にそれぞれ収容するコアカバー４，５を備え、コアカバー４，５が回動軸Ｌを中心として回動自在に連結されることで、収容されている各コアセンサ２，３が開閉自在に形成されたクランプ式電流計として構成されている。
【００１９】
各コアセンサ２，３は、一例として、磁気コア１１、ボビン１２、巻線１３およびリード線１４，１５をそれぞれ備えて、同一に構成されている。この場合、磁気コア１１は、図２に示すように、一例として磁性材料を用いて平面視略円弧状に形成された複数の平板が積層されて構成されている。なお、磁気コア１１は、このような複数の磁性体が積層される構成に代えて、１つの磁性体で構成されるものでもよい。
【００２０】
ボビン１２は、一例として、図２に示すように、各々が電気的絶縁性を有する合成樹脂材料を用いて形成された内周側ボビン２１、外周側ボビン２２、一の側面側ボビン２３および他の側面側ボビン２４を備え、図１，３，７に示すように、磁気コア１１の両端部を除く部位を覆う状態で磁気コア１１に外嵌される。
【００２１】
この場合、図２に示すように、内周側ボビン２１は、磁気コア１１の内周面側に装着され、外周側ボビン２２は、磁気コア１１の外周面側に装着される。この構成により、磁気コア１１は、その両端部を除く部位が内周側ボビン２１および外周側ボビン２２で覆われる（内周側ボビン２１および外周側ボビン２２で構成される内側ボビンが、磁気コア１１の両端部を除く部位に外嵌される）。
【００２２】
また、本例では、一の側面側ボビン２３は、内周側ボビン２１および外周側ボビン２２が装着された状態の磁気コア１１の一方の側面側（図２中では上側面側）に装着され、他の側面側ボビン２４は、内周側ボビン２１および外周側ボビン２２が装着された状態の磁気コア１１の他方の側面側（図２中では下側面側）に装着される。この構成により、磁気コア１１は、内周側ボビン２１および外周側ボビン２２で覆われている部位が一の側面側ボビン２３および他の側面側ボビン２４で覆われる（一の側面側ボビン２３および他の側面側ボビン２４で構成される外側ボビンが、上記した内側ボビンの上から磁気コア１１の両端部を除く部位にさらに外嵌される）。
【００２３】
なお、本例では、上記したように、ボビン１２を４つのボビン２１，２２，２３，２４で構成して、磁気コア１１の両端部を除く部位を２重に覆う構成を採用しているが、例えば、内周側ボビン２１および外周側ボビン２２の２つ、または一の側面側ボビン２３および他の側面側ボビン２４の２つでボビン１２を構成して、磁気コア１１の両端部を除く部位を１重に覆う構成を採用することもできる。
【００２４】
また、図１〜図３，図７に示すように、ボビン１２の外周面（本例では、一の側面側ボビン２３および他の側面側ボビン２４で構成される外側ボビンの外周面）には、一対のフランジ３１，３２が磁気コア１１の周方向に沿って離間して立設されている。また、図１〜図７に示すように、ボビン１２の外周面における一対のフランジ３１，３２のうちの回動軸Ｌ寄りのフランジ３２とボビン１２の回動軸Ｌ寄りの先端部との間の領域には、一対の保持部３３，３４が形成されている。
【００２５】
このボビン１２の外周面における一対のフランジ３１，３２で挟まれた領域ＡＲ１（図１参照）は、巻線１３が形成される巻線形成領域（以下、巻線形成領域ＡＲ１ともいう）を構成する。また、ボビン１２の外周面における一対の保持部３３，３４が形成されている領域ＡＲ２（図１参照）は、隣接する巻線形成領域ＡＲ１に形成された巻線１３から後述するようにして引き出された巻線１３の始端部１３ａおよび終端部１３ｂが固定される固定領域（以下、固定領域ＡＲ２ともいう）を構成する。
【００２６】
この固定領域ＡＲ２の構成について具体的に説明すると、本例では一例として、図２，３，４，６に示すように、ボビン１２の外周面における固定領域ＡＲ２の一部を構成する一の側面側ボビン２３の表面（具体的には、一の側面側ボビン２３における磁気コア１１の外周面を覆う部位の表面）に一方の保持部３３が形成され、ボビン１２の外周面における固定領域ＡＲ２の残りの一部を構成する他の側面側ボビン２４の表面（具体的には、他の側面側ボビン２４における磁気コア１１の外周面を覆う部位の表面）に他方の保持部３４が形成されている。
【００２７】
この一方の保持部３３は、一の側面側ボビン２３における固定領域ＡＲ２の表面に磁気コア１１の周方向に沿って一定の高さｈ（図５，６参照）でほぼ直角に立設された離間壁４１、および離間壁４１の一の壁面としての壁面（本例ではこの壁面の上縁）から離間壁４１の側方（他の側面側ボビン２４側とは逆の方向であって、リード線１４の後述する先端部が配置される部位側）に向けて、離間壁４１とほぼ直角な状態で延出する一の凸状体としての凸状体（形状としては、円柱体または角柱体でもよいし、後述するように離間壁４１の上縁に沿って延びる壁状体であってもよい。本例では一例として、壁状体）４２を備えている。この凸状体４２は、離間壁４１の上縁のほぼ全域に亘る長さで、かつ図４，６に示すように一定の幅（離間壁４１の上縁からの延出長）Ｗで形成されている。また、離間壁４１の高さｈは、被覆電線で構成されるリード線１４，１５の被覆を含めた全体の直径よりも若干低く形成されている。また、凸状体４２の幅Ｗは、このリード線１４，１５の被覆を含めた全体の半径よりも長く形成されている。
【００２８】
以上の構成により、被覆が除去されて露出させられたリード線１４の芯線に後述するようにして巻線１３の始端部１３ａがハンダ付けなどによって連結されたリード線１４の先端部が、図４において白抜きの矢印で示す方向から一の側面側ボビン２３の表面と凸状体４２の内面との間の隙間Ｇ（図５，６参照）に押し込まれて、図１，７に示すように離間壁４１の壁面（リード線１４の先端部に向く壁面）に押し当てられた際には、保持部３３は、このリード線１４の先端部を、離間壁４１によってリード線１５の後述する先端部から離間させると共に位置決めし、かつ一の側面側ボビン２３における固定領域ＡＲ２の表面と凸状体４２との間で挟み込むことで保持（挟持）し、これによってリード線１４の先端部を固定領域ＡＲ２に固定することが可能になっている。
【００２９】
また、保持部３３は、図１〜６に示すように、凸状体４２における離間壁４１の長さ方向に沿った２つの端部（図４，５中での上端部および下端部）のうちの巻線形成領域ＡＲ１側とは逆の端部（図４，５での下端部）の外面から巻線形成領域ＡＲ１と離間する方向に、磁気コア１１の周方向に沿って延設された延出部４３と、この延出部４３の先端から他の側面側ボビン２４に向けて磁気コア１１の厚み方向（図３での下方向、図４での左右方向）に沿って延設された引っ掛け部４４とをさらに備えている。
【００３０】
以上の構成により、先端部が一の側面側ボビン２３における固定領域ＡＲ２の表面と凸状体４２との間で保持されたリード線１４における凸状体４２の巻線形成領域ＡＲ１側とは逆の端部から延出する部位を、図４において太線で示す矢印のように、まず、延出部４３の下側を通して他の側面側ボビン２４側に引き出し、次いで、引っ掛け部４４の上側を通して巻線形成領域ＡＲ１側とは逆の方向に引き出す。これにより、リード線１４を引っ掛け部４４に引っ掛けた状態（リード線１４と引っ掛け部４４の各表面間に摩擦力が作用している状態）で保持部３３から引き出すことが可能になっている。
【００３１】
また、他方の保持部３４は、図４に示すように、磁気コア１１をその厚み方向に沿って２つに分割する仮想平面ＰＬ１を基準として、保持部３４とほぼ面対称となる構造を有している。具体的には、保持部３４は、他の側面側ボビン２４における固定領域ＡＲ２の表面に磁気コア１１の周方向に沿って一定の高さｈ（図５，６参照）でほぼ直角に立設された離間壁４１、および離間壁４１の他の壁面としての壁面（本例ではこの壁面の上縁）から離間壁４１の側方（一の側面側ボビン２３側とは逆の方向であって、リード線１５の後述する先端部が配置される部位側）に向けて、離間壁４１とほぼ直角な状態で延出する他の凸状体としての凸状体４２を備えている。この凸状体４２は、離間壁４１の上縁のほぼ全域に亘る長さで、かつ図４，６に示すように一定の幅（離間壁４１の上縁からの延出長）Ｗで形成されている。また、離間壁４１の高さｈ、および凸状体４２の幅Ｗは、保持部３３と同等に形成されている。
【００３２】
以上の構成により、被覆が除去されて露出させられたリード線１５の芯線に後述するようにして巻線１３の終端部１３ｂがハンダ付けなどによって連結されたリード線１５の先端部が、図４において白抜きの矢印で示す方向から他の側面側ボビン２４の表面と凸状体４２の内面との間の隙間Ｇ（図６参照）に押し込まれて、図１に示すように離間壁４１の壁面（リード線１５の先端部に向く壁面）に押し当てられた際には、保持部３４は、このリード線１５の先端部を離間壁４１によってリード線１４の先端部から離間させると共に位置決めし、かつ他の側面側ボビン２４における固定領域ＡＲ２の表面と凸状体４２との間で挟み込むことで保持（挟持）し、これによってリード線１５の先端部を固定領域ＡＲ２に固定することが可能になっている。
【００３３】
また、保持部３４は、図１〜６に示すように、凸状体４２における離間壁４１の長さ方向に沿った２つの端部（図４，５中での上端部および下端部）のうちの巻線形成領域ＡＲ１側とは逆の端部（図４，５での下端部）の外面から巻線形成領域ＡＲ１と離間する方向に、磁気コア１１の周方向に沿って延設された延出部４３と、この延出部４３の先端から一の側面側ボビン２３に向けて磁気コア１１の厚み方向に沿って延設された引っ掛け部４４とをさらに備えている。
【００３４】
以上の構成により、先端部が一の側面側ボビン２３における固定領域ＡＲ２の表面と凸状体４２との間で保持されたリード線１５における凸状体４２の巻線形成領域ＡＲ１側とは逆の端部から延出する部位を、図４において太線で示す矢印のように、まず、延出部４３の下側を通して一の側面側ボビン２３側に引き出し、次いで、引っ掛け部４４の上側を通して巻線形成領域ＡＲ１側とは逆の方向に引き出す。これにより、リード線１５を引っ掛け部４４に引っ掛けた状態（リード線１５と引っ掛け部４４の各表面間に摩擦力が作用している状態）で保持部３４から引き出すことが可能になっている。
【００３５】
次いで、電流計１の製造手順について説明する。
【００３６】
まず、各コアセンサ２，３を製造する。具体的には、磁性材料を用いて平面視略円弧状に形成された複数の平板を積層することによって磁気コア１１を２つ作製する。次いで、各磁気コア１１に、図２に示すように、内周側ボビン２１および外周側ボビン２２を装着し、さらに一の側面側ボビン２３および他の側面側ボビン２４を装着する。これにより、図３に示すように、各磁気コア１１における両端部を除く部位にボビン１２が外嵌される。
【００３７】
続いて、ボビン１２の固定領域ＡＲ２に始端部１３ａおよび終端部１３ｂが位置するようにして、ボビン１２の巻線形成領域ＡＲ１に巻線１３を形成する（すなわち、ボビン１２を介在させた状態で磁気コア１１に巻線１３を形成する）。次いで、図４に示すように、リード線１４の芯線に始端部１３ａを連結すると共に、リード線１５の芯線に終端部１３ｂを連結する。
【００３８】
続いて、図４に示すように、芯線に始端部１３ａが連結されたリード線１４の先端部を一の側面側ボビン２３の表面（固定領域ＡＲ２の表面）と保持部３３の凸状体４２における内面（固定領域ＡＲ２の表面との対向面）との間の隙間Ｇ（図６参照）に、被覆が離間壁４１と接触するまで押し込む。これにより、リード線１４の先端部は、保持部３３の離間壁４１に沿わせられることによって固定領域ＡＲ２の所定の位置に位置決めされると共に、一の側面側ボビン２３の表面と保持部３３の凸状体４２との間で保持されて固定領域ＡＲ２に固定される。
【００３９】
また、芯線に終端部１３ｂが連結されたリード線１５の先端部を他の側面側ボビン２４の表面（固定領域ＡＲ２の表面）と保持部３４の凸状体４２における内面（固定領域ＡＲ２の表面との対向面）との間の隙間Ｇ（図６参照）に、被覆が離間壁４１と接触するまで押し込む。これにより、リード線１４の先端部は、保持部３４の離間壁４１に沿わせられることによって固定領域ＡＲ２の所定の位置に位置決めされると共に、他の側面側ボビン２４の表面と保持部３４の凸状体４２との間で保持されて固定領域ＡＲ２に固定される。これにより、リード線１４，１５は、各保持部３３，３４により、磁気コア１１の厚み方向に沿って互いに離間した状態で、かつ各保持部３３，３４の離間壁４１および凸状体４２によって電気的に分離された状態（絶縁された状態）で固定領域ＡＲ２に固定される。
【００４０】
最後に、リード線１４における凸状体４２の巻線形成領域ＡＲ１側とは逆の端部から延出する部位を、図４において太線で示す矢印のように、まず、保持部３３の延出部４３の下側を通して他の側面側ボビン２４側に引き出し、次いで、保持部３３の引っ掛け部４４の上側を通して巻線形成領域ＡＲ１側とは逆の方向に引き出す。つまり、リード線１４を引っ掛け部４４に引っ掛けてクランク状に折曲した状態で保持部３３から引き出す。また、リード線１５における凸状体４２の巻線形成領域ＡＲ１側とは逆の端部から延出する部位を、図４において太線で示す矢印のように、まず、保持部３４の延出部４３の下側を通して他の側面側ボビン２４側に引き出し、次いで、保持部３４の引っ掛け部４４の上側を通して巻線形成領域ＡＲ１側とは逆の方向に引き出す。つまり、リード線１５を引っ掛け部４４に引っ掛けてクランク状に折曲した状態で保持部３４から引き出す。これにより、コアセンサ２，３の製造が完了する。
【００４１】
このようにして、このコアセンサ２，３および電流計１では、磁気コア１１に外嵌されたボビン１２に巻線１３を形成し、かつ巻線１３の始端部１３ａおよび終端部１３ｂにリード線１４，１５を連結した状態において、テープ（絶縁テープなど）を使用することなく、リード線１４，１５を各保持部３３，３４の凸状体４２によってボビン１２に直ちに固定することができる。このため、このコアセンサ２，３および電流計１では、巻線１３の始端部１３ａおよび終端部１３ｂにリード線１４，１５を連結する工程の実行後（コアセンサ２，３の製造後）であって、コアセンサ２，３をコアカバー４，５に装着する工程の実行前までの間に、リード線１４，１５に引張力などのような負荷がかかったとしても、巻線１３がほどけるといった不具合の発生を低減することが可能になっている。
【００４２】
さらに、このコアセンサ２，３および電流計１では、リード線１４については保持部３３の引っ掛け部４４に引っ掛けた状態で保持部３３から引き出し、またリード線１５については保持部３４の引っ掛け部４４に引っ掛けた状態で保持部３４から引き出す構成のため、リード線１４，１５により大きな引張力などのような負荷がかかったとしても、巻線１３がほどけるといった不具合の発生を確実に防止することが可能になっている。
【００４３】
次いで、図１に示すように、製造したコアセンサ２，３をコアカバー４，５内にそれぞれ収容すると共に、各コアセンサ２，３からそれぞれ引き出されたリード線１４，１５を、例えば、コアカバー４，５のうちの少なくとも一方に配設された不図示の回路基板に接続する。これにより、電流計１の製造が完了する。
【００４４】
このようにして製造された電流計１は、環状の磁気コア１１内に挿通された不図示の測定対象（例えば電線）に流れる測定電流を検出して、その電流値に応じた振幅の電気信号（電圧信号や電流信号）を一対のリード線１４，１５間から出力する。したがって、この電流計１を使用することで、この電気信号に基づいて測定電流の電流値を測定することが可能となっている。
【００４５】
このように、このコアセンサ２，３および電流計１によれば、磁気コア１１に外嵌されたボビン１２の巻線形成領域ＡＲ１に形成された巻線１３から引き出された始端部１３ａおよび終端部１３ｂに連結されるリード線１４，１５の先端部を互いに離間させる離間壁４１と、これらの先端部を保持するための保持部３３，３４がボビン１２の固定領域ＡＲ２に形成されているため、巻線形成領域ＡＲ１に巻線１３を形成し、かつ巻線１３の始端部１３ａおよび終端部１３ｂにリード線１４，１５を連結した状態において、テープで止めたり、コアカバー（カバー部）の穴に差し込んで止めたりするのに比べて、リード線１４，１５の各先端部の絶縁を離間壁４１で簡単かつ確実に行うことができる。また、固定領域ＡＲ２に形成された各保持部３３，３４を使用して各リード線１４，１５の先端部を保持することにより、この各先端部をボビン１２の固定領域ＡＲ２に直ちに固定して、コアセンサ２，３の製造を完了させることができる。したがって、このコアセンサ２，３および電流計１によれば、このような保持部の無い構成と比べて、コアセンサ２，３の製造後であって、コアセンサ２，３をコアカバー４，５に装着する工程の実行前までの間に、リード線１４，１５に引張力などのような負荷がかかったとしても、巻線１３がほどけるといった不具合の発生を大幅に低減することができる。
【００４６】
また、このコアセンサ２，３および電流計１では、各保持部３３，３４は、リード線１４，１５の先端部を沿わせて位置決めすると共に互いに離間させる離間壁４１における各先端部に向く各壁面から対応するリード線１４，１５の先端部が配置される部位側に延出する凸状体４２を備えている。したがって、このコアセンサ２，３および電流計１によれば、芯線に始端部１３ａが連結されたリード線１４の先端部を一の側面側ボビン２３の表面（固定領域ＡＲ２の表面）と保持部３３の凸状体４２（一の凸状体）との間の隙間Ｇに押し込む（例えば、被覆が離間壁４１と接触するまで押し込む）という簡易な作業でリード線１４の先端部を保持部３３に確実に保持させることができる。また、芯線に終端部１３ｂが連結されたリード線１５の先端部を他の側面側ボビン２４の表面（固定領域ＡＲ２の表面）と保持部３４の凸状体４２（他の凸状体）との間の隙間Ｇに押し込む（例えば、被覆が離間壁４１と接触するまで押し込む）という簡易な作業でリード線１５の先端部を保持部３４に保持させることができる。このため、テープで止めたり、コアカバー（カバー部）の穴に差し込んで止めたりするのに比べて、各リード線１４，１５の先端部を保持する際の手間（工数）を格段に少なくすることができる。
【００４７】
また、このコアセンサ２，３および電流計１によれば、各保持部３３，３４に引っ掛け部４４が形成されているため、リード線１４，１５を対応する引っ掛け部４４に引っ掛けた状態（リード線１４，１５と対応する引っ掛け部４４の各表面間に摩擦力が作用している状態）で各保持部３３，３４から引き出すことにより、コアカバー（カバー部）の穴に差し込むだけの構成と比べて、リード線１４，１５により大きな引張力などのような負荷がかかったとしても、巻線１３がほどけたり、断線したりといった不具合の発生を確実に防止することができる。また、各リード線１４，１５の先端部をテープで止めたり、コアカバー（カバー部）の穴に差し込んで止めたりするのに比べて、各リード線１４，１５の先端部を保持する際の手間（工数）を格段に少なくすることができる。
【００４８】
なお、上記の電流計１では、図７に示すように、ボビン１２の固定領域ＡＲ２における磁気コア１１の外周面を覆う部位に保持部３３，３４を形成する構成を採用しているが、固定領域ＡＲ２における磁気コア１１の２つの側面のうちのいずれか一方を覆う部位に保持部３３，３４を共に形成したり、固定領域ＡＲ２における磁気コア１１の２つの側面を覆う部位に保持部３３，３４を分けて形成したり、固定領域ＡＲ２における磁気コア１１の内周面を覆う部位に保持部３３，３４を共に形成したりする構成を採用することもできる。また、固定領域ＡＲ２における磁気コア１１の外周面を覆う部位、内周面を覆う部位、および各側面を覆う部位のうちのいずれか２箇所に保持部３３，３４を分けて形成する構成を採用することもできる。
【００４９】
以下、一例として、ボビン１２の固定領域ＡＲ２における磁気コア１１の内周面を覆う部位に保持部３３Ａ，３４Ａを共に形成する構成について図８を参照して説明する。なお、保持部３３Ａ，３４Ａの構造、および保持部３３Ａ，３４Ａの固定領域ＡＲ２における形成位置が主として相違するだけで、他の構成については上記した図１〜図７に示すボビン１２の構成とほぼ同じため、同じ構成については同じ符号を付して重複する説明を省略し、相違する構成についてのみ説明する。
【００５０】
図８に示すように、ボビン１２の外周面における固定領域ＡＲ２の一部を構成する一の側面側ボビン２３の表面（具体的には、一の側面側ボビン２３における磁気コア１１の内周面を覆う部位の表面）に一方の保持部３３Ａが形成され、ボビン１２の外周面における固定領域ＡＲ２の残りの一部を構成する他の側面側ボビン２４の表面（具体的には、他の側面側ボビン２４における磁気コア１１の内周面を覆う部位の表面）に他方の保持部３４Ａが形成されている。
【００５１】
この一方の保持部３３Ａは、一の側面側ボビン２３における固定領域ＡＲ２の表面に磁気コア１１の周方向に沿って一定の高さで立設された離間壁４１、および離間壁４１における一の壁面の上縁から離間壁４１の側方（他の側面側ボビン２４側とは逆の方向であって、不図示のリード線１４の先端部が配置される部位側）に向けて、離間壁４１とほぼ直角な状態で延出する一の凸状体４２を備えている。この凸状体４２は、離間壁４１の上縁のほぼ全域に亘る長さで、かつ一定の幅（離間壁４１の上縁からの延出長）で形成されている。
【００５２】
以上の構成により、保持部３３Ａは、巻線１３の始端部１３ａ（不図示）がハンダ付けなどによって連結されたリード線１４の先端部（不図示）を離間壁４１に沿わせて位置決めすると共に、一の側面側ボビン２３における固定領域ＡＲ２の表面と凸状体４２との間で保持して固定することが可能になっている。
【００５３】
また、図８に示すように、ボビン１２の外周面における固定領域ＡＲ２の一部を構成する一の側面側ボビン２３の表面（一の側面側ボビン２３における磁気コア１１の内周面を覆う部位の表面）には、引っ掛け部４４Ａが保持部３３Ａと並んで、かつ不図示のリード線１４を通すだけの間隔を開けて形成されている。引っ掛け部４４Ａは、一の側面側ボビン２３のこの表面（つまり、固定領域ＡＲ２の表面）から起立すると共に上端側が他の側面側ボビン２４側に向けて折曲するフック状に形成されている。
【００５４】
また、図８に示すように、一の側面側ボビン２３における磁気コア１１の一方の側面を覆う部位の表面には、ボビン１２の内周側から外周側に至る一対のガイド壁４５が形成されている。本例では、一対のガイド壁４５は、互いに平行に形成されると共に、それぞれの対向面間の距離がリード線１４の直径とほぼ同じに規定されている。また、各対向面には、同図に示すように突起４６が形成されている。これにより、一対のガイド壁４５は、相互間にリード線１４が押し込まれた際には、各突起４６がリード線の被覆を噛むことによってリード線を保持（固定）することが可能になっている。
【００５５】
以上の構成により、図８において太線で示す矢印のように、まず、リード線１４の先端部を一の側面側ボビン２３における固定領域ＡＲ２の表面と凸状体４２との間の隙間Ｇに押し込んで固定する。次いで、リード線１４の凸状体４２の巻線形成領域ＡＲ１側とは逆の端部から延出する部位を、保持部３３Ａと引っ掛け部４４Ａとの間の隙間を通した後に引っ掛け部４４Ａに引っ掛け、続いて磁気コア１１の側面側に引き出して一対のガイド壁４５間に押し込む。これにより、リード線１４を引っ掛け部４４Ａに引っ掛けてＬ字状に折曲した状態で、リード線１４をボビン１２の内周側に位置する保持部３３Ａからボビン１２の外周側に引き出すことが可能になっている。
【００５６】
一方、他方の保持部３４Ａは、他の側面側ボビン２４における固定領域ＡＲ２の表面に磁気コア１１の周方向に沿って一定の高さで立設された離間壁４１、および離間壁４１における他の壁面の上縁から離間壁４１の側方（一の側面側ボビン２３側とは逆の方向であって、リード線１５の先端部が配置される部位側）に向けて、離間壁４１とほぼ直角な状態で延出する他の凸状体４２を備えている。この凸状体４２は、離間壁４１の上縁のほぼ全域に亘る長さで、かつ一定の幅（離間壁４１の上縁からの延出長）で形成されている。
【００５７】
以上の構成により、保持部３４Ａは、巻線１３の終端部１３ｂ（不図示）がハンダ付けなどによって連結された他のリード線１５の先端部（不図示）を離間壁４１に沿わせて位置決めすると共に、他の側面側ボビン２４における固定領域ＡＲ２の表面と凸状体４２との間で保持して固定することが可能になっている。
【００５８】
また、図８に示すように、ボビン１２の外周面における固定領域ＡＲ２の一部を構成する他の側面側ボビン２４の表面（他の側面側ボビン２４における磁気コア１１の内周面を覆う部位の表面）には、引っ掛け部４４Ａが保持部３４Ａと並んで、かつリード線１５を通すだけの間隔を開けて形成されている。引っ掛け部４４Ａは、他の側面側ボビン２４のこの表面（つまり、固定領域ＡＲ２の表面）から起立すると共に上端側が一の側面側ボビン２３側に向けて折曲するフック状に形成されている。
【００５９】
また、図８に示すように、他の側面側ボビン２４における磁気コア１１の他の側面を覆う部位の表面には、ボビン１２の内周側から外周側に至る一対のガイド壁４５が形成されている。この一対のガイド壁４５は、一の側面側ボビン２３に形成されている一対のガイド壁４５と同一に構成されている。
【００６０】
以上の構成により、図８において太線で示す矢印のように、まず、リード線１５の先端部を他の側面側ボビン２４における固定領域ＡＲ２の表面と凸状体４２との間の隙間Ｇに押し込んで固定する。次いで、リード線１５の凸状体４２の巻線形成領域ＡＲ１側とは逆の端部から延出する部位を、保持部３４Ａと引っ掛け部４４Ａとの間の隙間を通した後に引っ掛け部４４Ａに引っ掛け、続いて磁気コア１１の他方の側面側に引き出して一対のガイド壁４５間に押し込む。これにより、リード線１５を引っ掛け部４４Ａに引っ掛けてＬ字状に折曲した状態で、リード線１５をボビン１２の内周側に位置する保持部３４Ａからボビン１２の外周側に引き出すことが可能になっている。
【００６１】
したがって、この保持部３３Ａ，３４Ａを備えた電流計１によっても、保持部３３，３４を備えた構成と同様にして、リード線１４，１５の各先端部の絶縁を離間壁４１で簡単かつ確実に行うことができると共に、コアセンサ２，３の製造後であって、コアセンサ２，３をコアカバー４，５に装着する工程の実行前までの間に、リード線１４，１５に引張力などのような負荷がかかったとしても、巻線１３がほどけるといった不具合の発生を大幅に低減することができる。
【００６２】
また、この電流計１によれば、各保持部３３Ａ，３４Ａが離間壁４１および凸状体４２を備えているため、芯線に始端部１３ａが連結されたリード線１４の先端部、および芯線に終端部１３ｂが連結されたリード線１５の先端部を、対応する側面側ボビン２３，２４の表面と対応する保持部３３Ａ，３４Ａの凸状体４２における内面との間の隙間Ｇに押し込むという簡易な作業で、リード線１４，１５の各先端部を対応する保持部３３Ａ，３４Ａに確実に保持させることができる。このため、テープで止めたり、コアカバー（カバー部）の穴に差し込んで止めたりするのに比べて、各リード線１４，１５の先端部を保持する際の手間（工数）を格段に少なくすることができる。
【００６３】
また、この電流計１によれば、引っ掛け部４４Ａを備えているため、リード線１４，１５を対応する引っ掛け部４４Ａに引っ掛けた状態で各保持部３３Ａ，３４Ａから引き出すことにより、コアカバー（カバー部）の穴に差し込むだけの構成と比べて、リード線１４，１５により大きな引張力などのような負荷がかかったとしても、巻線１３がほどけたり、断線したりといった不具合の発生を確実に防止することができる。また、各リード線１４，１５の先端部をテープで止めたり、コアカバー（カバー部）の穴に差し込んで止めたりするのに比べて、各リード線１４，１５の先端部を保持する際の手間（工数）を格段に少なくすることができる。
【００６４】
また、上記の例では、各保持部３３，３４，３３Ａ，３４Ａは、共に、固定領域ＡＲ２の表面からほぼ直角に立設された離間壁４１、および離間壁４１の上縁から側方に向けてほぼ直角に延出する凸状体４２を備えて、断面形状が逆Ｌ字状に形成されているが、この構成に限定されるものではない。図示はしないが、例えば、離間壁４１および凸状体４２の全体の断面形状をＣ字状に形成する構成など、種々の構成を採用することができる。また、保持部３３，３４，３３Ａ，３４Ａによって保持された状態において、各リード線１４，１５の先端部の固定が十分なときには、引っ掛け部４４，４４Ａを設けない構成を採用してもよいのは勿論である。
【００６５】
また、上記の例では、離間壁４１が保持部３３および保持部３４のそれぞれに含まれる構成を採用しているが、図示はしないが、離間壁４１が保持部３３および保持部３４とは別体に形成される構成を採用することもできる。また、上記の例では、一の側面側ボビン２３に離間壁４１を含む保持部３３を形成すると共に、他の側面側ボビン２４に別の離間壁４１を含む保持部３４を形成する構成を採用しているが、図示はしないが、一の側面側ボビン２３および他の側面側ボビン２４のいずれか一方に保持部３３および保持部３４を形成する構成を採用することもできる。また、この構成を採用したときには、保持部３３および保持部３４とで１つの離間壁４１を共有する構成（つまり、離間壁４１を１つにする構成）にすることができる。
【００６６】
また、測定装置の一例として、測定対象に流れる測定電流を測定する電流測定機能のみを有する電流計１を例に挙げて説明したが、電流計１と同じ電流測定機能と共に他の物理量を測定する機能を備えた測定装置もこの測定装置に含まれるのは勿論である。例えば、電流計１と同じ電流測定機能と共に他の物理量としての電圧を測定する電圧測定機能を有して、測定した電流と電圧とに基づいて電力を測定する電力計もこの測定装置に含まれる。また、電流計１と同じ電流測定機能と共に他の物理量としての電圧を測定する電圧測定機能を有して、測定した電流と電圧とに基づいて抵抗を測定する抵抗計もこの測定装置に含まれる。
【符号の説明】
【００６７】
１  電流計
２，３  コアセンサ
１１  磁気コア
１２  ボビン
１３  巻線
１３ａ  始端部
１３ｂ  終端部
１４，１５  リード線
３３，３４，３３Ａ，３４Ａ  保持部
４１  離間壁
４２  凸状体
４４，４４Ａ  引っ掛け部
ＡＲ１  巻線形成領域
ＡＲ２  固定領域
【図１】
0006532704.tif 000002
【図２】
0006532704.tif 000003
【図３】
0006532704.tif 000004
【図４】
0006532704.tif 000005
【図５】
0006532704.tif 000006
【図６】
0006532704.tif 000007
【図７】
0006532704.tif 000008
【図８】
0006532704.tif 000009